(57)【要約】【課題】    固定金具の量産性を向上させることを鑑み、さらに、確実に固定金具によりパネル受けを固定するための  二重床用パネルの支持脚構造を提供する。【解決手段】  二重床用パネルの支持脚構造において、床スラブＢ上に載置されるベース板１と、該ベース板１上に突設される支持ボルト２と、該支持ボルト２に高さ調整自在に螺着されるパネル受け３と、高さ調整後のパネル受け３の位置を固定する固定金具４と、により構成され、パネル受け３は支持ボルト２に螺着される軸部３ａ及び軸部３ａの上方に配置するパネルの載置部３ｂにより構成され、前記固定金具４は、前記支持ボルト２に螺着されるとともにパネル受け３の軸部３ａ下面に当接される螺着部４ａと、同螺着部４ａの側端より複数箇所に異なる方向に突出するとともに前記固定金具４を回転操作する複数の操作部４ｂ、４ｂ’と、を備える。【選択図】図１
2005146803.tif 000002
【特許請求の範囲】
【請求項１】
床スラブ上に載置されるベース板と
該ベース板上に突設される支持ボルトと、
支持ボルトに高さ調整自在に螺着されるパネル受けと、
高さ調整後のパネル受けの位置を固定する固定金具と、
により構成され、
パネル受けは支持ボルトに螺着される軸部及び同軸部の上方に配置するパネルの載置部により構成され、
前記固定金具は、前記支持ボルトに螺着されるとともにパネル受けの軸部下面に当接される螺着部と、
同螺着部の側端より複数箇所に異なる方向に突出するとともに前記固定金具を回転操作する複数の操作部と、を備えることを特徴とする二重床用パネルの支持脚構造。
【発明の詳細な説明】
【技術分野】
【０００１】
本発明は、建物の床面上に所定高さで二重床用パネルを支持して二重床を形成するための二重床用パネルの支持脚に関するものである。
【背景技術】
【０００２】
従来の二重床の支持脚構造にあっては、ベース板５１の略中央部より支持ボルト５２が突設され、支持ボルト５２にパネル受け５３が高さ調整自在に螺着され、高さ調整後にパネル受け５３の位置を固定金具５４により固定する二重床用パネルの支持脚Ｚが存在する。この技術に類似する技術が特許文献１に記載されている。
【０００３】
ところで、固定金具５４が支持ボルト５２に対して片側にのみ延接されているので、例えば、この支持脚Ｚが部屋の入角部５５に設けられ、固定金具５４が、壁面５６ａ、５６ｂ近傍に配置されたとき、固定金具をハンマー等で叩いて、固定金具を増し締めすることが難しくなる。
【特許文献１】特開平７−４８９２０号公報
【発明の開示】
【発明が解決しようとする課題】
【０００４】
本願発明は、上記従来の背景技術に鑑みて発明されたものであり、その課題は、支持脚が部屋の入角部に配置されたときでも、固定金具を使用して簡単にパネル受けを固定することが出来る二重床用パネルの支持脚構造を提供することである。
【課題を解決するための手段】
【０００５】
上記課題を解決するために、本願発明は、二重床用パネルの支持脚構造において、床スラブＢ上に載置されるベース板１と、該ベース板１上に突設される支持ボルト２と、支持ボルト２に高さ調整自在に螺着されるパネル受け３と、高さ調整後のパネル受け３の位置を固定する固定金具４と、により構成され、パネル受け３は支持ボルト２に螺着される軸部３ａ及び同軸部３ａの上方に配置するパネルの載置部３ｂにより構成され、前記固定金具４は、前記支持ボルト２に螺着されるとともにパネル受け３の軸部３ａ下面に当接される螺着部４ａと、同螺着部４ａの側端より複数箇所に異なる方向に突出するとともに前記固定金具４を回転操作する複数の操作部４ｂ、４ｂ’と、を備えることを特徴とする。
【発明の効果】
【０００６】
本願発明の二重床用パネルの支持脚構造にあっては、固定金具４の操作部４ｂ、４ｂ’が、固定金具４の螺着部４ａより、複数箇所、異なる方向に突出しているので、この支持脚Ａが入角部１０の箇所に置かれたときに、操作部４ｂ、４ｂ’のうちの一つが壁面１１ａ、１１ｂの近傍に配置されていたとしても、他方の操作部４ｂ’が、壁面１１ａ、１１ｂより遠い側に配置されるので、この他方の操作部４ｂ’を使用して、簡単にパネル受け３を固定することができる。また、軸部３ａの下面に固定金具４の螺着部４ａを当接する構成である為、例えばハンマー等で固定金具４を叩いてパネル受け３を固定する際、誤ってパネル受け３の載置部３ｂを叩いてしまうことが免れる。
【発明を実施するための最良の形態】
【０００７】
本願の一実施形態の二重床用パネルの支持脚構造について説明する。
【０００８】
床スラブＢ上に、ベース板１が設置されている。そのベース板１の上面に、上方へ向かって支持ボルト２が突設されている。この支持ボルト２にパネル受け３が螺着されている。
【０００９】
パネル受け３は、支持ボルト２に螺着される箇所の軸部３ａと、軸部３ａの上方に配置するものであって上面に床パネル（図示せず）橋架用の受板５を載置するための載置部３ｂと、により構成されている。
【００１０】
この受板５と載置部３ｂとの間には、弾性材６が設けられている。このことにより、受板５からの振動が弾性材６により和らげられる。
【００１１】
ここで、軸部３の下面３ｃとベース板１との間の支持ボルト２には、固定金具４が螺着されている。この固定金具４は、支持ボルト２に螺合する螺着部４ａと、螺着部４ａより外方へ突出する操作部４ｂ、４ｂ’と、により構成されている。
【００１２】
ここで、操作部４ｂ、４ｂ’は、螺着部４ａを中心に略左右対称に配置されている（図３）。この固定金具４を支持ボルト２に螺合させると、支持ボルト２を中心に前後方向に操作部４ｂ、４ｂ’が配置される。
【００１３】
この固定金具４を回転させ、パネル受け３の軸部３ａの下面３ｃに当接し、さらにハンマー等で叩くことにより回転力を加えて圧接すると、パネル受け３の軸部３ａの下面３ｃと、固定金具４の螺着部４ａと、が密着するため、この密着による摩擦力の為に、パネル受け３の回転が抑制される。従って、パネル受け３は、固定金具４により略固定される状態となる。この際、軸部３ａの長さ分、載置部３ｂと固定金具４との距離が離れているので、ハンマー等で固定金具４を叩く際、パネル受け３の載置部３ｂを直接叩くことは抑制される。
【００１４】
この固定金具４は、操作部４ｂ、４ｂ’の先端部が先割れの形状となっている。その先割れした箇所の幅ｓが、螺着部４ａの幅ｗの略半分以下の大きさである為、固定金具４を回転させ、パネル受け３の軸部３ａの下面３ｃの当接し、さらに、回転力を加えて圧接するために、例えば木槌やハンマー等で、操作部４ｂ、４ｂ’を叩いたときでも、操作部４ｂ、４ｂ’のみが変形し、螺着部４ａのネジや、支持ボルト２のネジが、ねじ切れすることは免れる。
【００１５】
また、前述のように、この固定金具４を支持ボルト２に螺合させると、支持ボルト２を中心に前後方向に操作部４ｂ、４ｂ’が配置される。従って、図２（ａ）のように、支持脚Ａが入角部１０の箇所に置かれ、固定金具４の一方の操作部４ｂが壁面１１ａ、１１ｂの近傍に配置されていたとしても、他方の操作部４ｂ’が、壁面１１ａ、１１ｂより遠い側に配置されるので、この他方の操作部４ｂ’を使用して、簡単にパネル受け３を固定することができる。
【図面の簡単な説明】
【００１６】
【図１】本願発明の一実施形態である二重床用パネルの支持脚構造を示す斜視図である。
【図２】本願発明の一実施形態である二重床用パネルの支持脚構造において、入り角部に使用した使用状況を示す説明図であって、（ａ）は平面図、（ｂ）は正面図である。
【図３】本願発明の一実施形態である二重床用パネルの支持脚構造における固定金具を示す平面図である。
【図４】従来の二重床用パネルの支持脚構造において、入り角部に使用した使用状況を示す説明図であって、（ａ）は平面図、（ｂ）は正面図である。
【図５】従来の二重床用パネルの支持脚構造における固定金具を示す平面図である。
【符号の説明】
【００１７】
Ｂ    床スラブ
１    ベース板
２    支持ボルト
３    パネル受け
３ａ  軸部
３ｂ  載置部
３ｃ  下面
４    固定金具
４ａ  螺着部
４ｂ  操作部
４ｂ’操作部
【図１】
2005146803.tif 000003
【図２】
2005146803.tif 000004
【図３】
2005146803.tif 000005
【図４】
2005146803.tif 000006
【図５】
2005146803.tif 000007